(57)【要約】【課題】表示装置のモーションブラー現象及びフリッカー現象を改善できる発光装置及びその駆動方法を提供する。【解決手段】本発明による発光装置は、複数の走査ライン、複数のコラムライン及び表示装置の少なくとも一つの画素に光源を提供する複数の発光画素を含み、複数の各々の走査ラインは１つのフレーム期間の間に第１及び第２走査信号が印加される表示部と、入力映像信号及び入力映像制御信号を読み取って複数の各々の発光画素の明度情報を有する調光信号を生成し、複数の各々の発光画素に対応する表示装置の各領域の動作情報を有する複数のモーションフラグ信号を生成し、複数の各々のモーションフラグ信号に応じて調光信号の分割比率情報を有する複数の比率制御信号を生成する局部明度制御部、及び複数の比率制御信号に応じて調光信号を第１走査信号に対応する複数の第１分割調光データ及び第２走査信号に対応する複数の第２分割調光データに分割する制御部と、を含む。【選択図】図１
2010286809.tif 000002
【特許請求の範囲】
【請求項１】
入力映像信号及び入力映像制御信号に応じて映像を表示する表示装置に光源を提供する発光装置において、
複数の走査ライン、複数のコラムライン及び前記表示装置の少なくとも一つの画素に前記光源を提供する複数の発光画素を含み、前記複数の各々の走査ラインは１つのフレーム期間の間に第１及び第２走査信号が印加される表示部と、
前記入力映像信号及び前記入力映像制御信号を読み取って前記複数の各々の発光画素の明度情報を有する調光信号を生成し、前記複数の各々の発光画素に対応する前記表示装置の各領域の動作情報を有する複数のモーションフラグ信号を生成し、前記複数の各々のモーションフラグ信号に応じて前記調光信号の分割比率情報を有する複数の比率制御信号を生成する局部明度制御部、及び
前記複数の比率制御信号に応じて前記調光信号を前記第１走査信号に対応する複数の第１分割調光データ及び前記第２走査信号に対応する複数の第２分割調光データに分割する制御部と、を含むことを特徴とする発光装置。
【請求項２】
前記局部明度制御部は前記複数のモーションフラグ信号に応じて前記調光信号に対する前記複数の第１分割調光データの比率を増減させることを特徴とする請求項１に記載の発光装置。
【請求項３】
前記局部明度制御部は前記入力映像制御信号を用いてフレームを区分する同期信号、及び前記複数の各々の発光画素の発光を制御する発光制御信号を生成すことを特徴とする請求項１に記載の発光装置。
【請求項４】
前記制御部は、
前記複数の各々の比率制御信号に応じて前記調光信号を前記複数の第１及び第２分割調光データに分割するデータ処理部と、
１つのフレーム単位で前記複数の第１及び第２分割調光データが各々保存される第１及び第２サブメモリを各々含む複数のメモリ、及び
前記同期信号をカウンティングして生成された各々の第１カウンティング信号及び第２カウンティング信号に応じて前記複数のメモリから前記複数の第１及び第２分割調光データを選択的に読み取り及び書き込むフレームバッファー部と、を含むことを特徴とする請求項３に記載の発光装置。
【請求項５】
前記フレームバッファー部は、前記同期信号に同期されて前記同期信号をカウントして前記第１カウンティング信号を生成し、前記同期信号の半周期ほど遅延した時点で同期されて前記同期信号をカウントして前記第２カウンティング信号を生成し、
前記第１カウンティング信号及び第２カウンティング信号は、前記複数のメモリの数を表せるビットを有するデジタルデータに具現され、前記複数のメモリ数単位で反復的に変わることを特徴とする請求項４に記載の発光装置。
【請求項６】
前記フレームバッファー部は、
前記第１カウンティング信号に応じて前記複数のメモリの順に前記複数の第１及び第２分割調光データを書き込むことを特徴とする請求項４に記載の発光装置。
【請求項７】
前記フレームバッファー部は、
前記第１カウンティング信号に応じて前記複数のメモリのうち前記複数の第１及び第２分割調光データの書き込みが完了した第１メモリから前記複数の第１分割調光データを読み取り、
前記第２カウンティング信号に応じて前記第１メモリから前記複数の第２分割調光データを読み取ることを特徴とする請求項４に記載の発光装置。
【請求項８】
前記フレームバッファー部は、
前記複数の第１及び第２分割調光データを交互に読み取ることを特徴とする請求項７に記載の発光装置。
【請求項９】
前記制御部は前記発光制御信号を用いて走査駆動制御信号及びコラム駆動制御信号を生成する制御信号生成部をさらに含むことを特徴とする請求項４に記載の発光装置。
【請求項１０】
前記走査駆動制御信号に応じて前記複数の走査ラインに前記第１及び第２走査信号を印加する走査駆動部をさらに含むことを特徴とする請求項９に記載の発光装置。
【請求項１１】
前記１フレーム期間は少なくとも二つの第１フィールド及び第２フィールドに区分され、
前記走査駆動部は、前記第１フィールドに対応する前記複数の第１走査信号を前記複数の走査ラインに順次に印加し、前記第２フィールドに対応する前記複数の第２走査信号を前記複数の走査ラインに順次に印加することを特徴とする請求項１０に記載の発光装置。
【請求項１２】
前記第１フィールドの間、前記走査駆動部は現在フレームの前記複数の第１走査信号と直前フレームの前記複数の第２走査信号を交互に印加することを特徴とする請求項１１に記載の発光装置。
【請求項１３】
前記第２フィールドの間、前記走査駆動部は現在フレームの前記複数の第２走査信号と前記複数の第１走査信号を交互に印加することを特徴とする請求項１１に記載の発光装置。
【請求項１４】
前記コラム駆動制御信号に応じて前記複数の第１及び第２分割調光データに対応する期間の間に発光データ電圧を前記複数のコラムラインに印加するコラム駆動部をさらに含むことを特徴とする請求項９に記載の発光装置。
【請求項１５】
入力映像信号及び入力映像制御信号に応じて映像を表示する表示装置の少なくとも一つの画素に光源を提供する複数の発光画素と、複数の走査ライン及び複数のコラムラインを含む発光装置の駆動方法において、
前記複数の各々の走査ラインに１つのフレーム期間の間に第１及び第２走査信号が印加される段階と、
前記入力映像信号及び前記入力映像制御信号を読み取って前記複数の各々の発光画素の明度情報を有する調光信号を生成する段階と、
前記複数の各々の発光画素に対応する前記表示装置の各領域の動作情報を有する複数のモーションフラグ信号を生成する段階と、
前記複数の各々のモーションフラグ信号に応じて前記調光信号の分割比率情報を有する複数の比率制御信号を生成する段階と、
前記複数の比率制御信号に応じて前記調光信号を前記第１走査信号に対応する複数の第１分割調光データ及び前記第２走査信号に対応する複数の第２分割調光データに分割する段階と、を含むことを特徴とする発光装置の駆動方法。
【請求項１６】
前記複数の第１及び第２分割調光データに分割する段階は、
前記複数のモーションフラグ信号に応じて前記調光信号に対する前記複数の第１分割調光データの比率を増減させる段階を含むことを特徴とする請求項１５に記載の発光装置の駆動方法。
【請求項１７】
前記入力映像制御信号は垂直同期信号を含み、
前記垂直同期信号に同期された同期信号を生成する段階と、
前記同期信号に同期されて前記同期信号をカウントして第１カウンティング信号を生成し、前記同期信号の半周期ほど遅延した時点で同期されて前記同期信号をカウントして第２カウンティング信号を生成する段階と、
前記第１及び第２カウンティング信号に応じて前記複数の第１及び第２分割調光データを選択的に読み取り及び書き込む段階をさらに含むことを特徴とする請求項１５に記載の発光装置の駆動方法。
【請求項１８】
前記複数の第１及び第２分割調光データを選択的に読み取り及び書き込む段階は、
前記第１カウンティング信号に応じて１つのフレーム単位の前記複数の第１及び第２分割調光データを書き込む段階と、
前記１つのフレーム単位の前記複数の第１及び第２分割調光データの書き込みが完了されると、前記第１カウンティング信号に応じて前記複数の第１分割調光データを読み取る段階と、
前記第２カウンティング信号に応じて前記複数の第２分割調光データを読み取る段階と、を含むことを特徴とする請求項１７に記載の発光装置の駆動方法。
【請求項１９】
前記複数の第１及び第２分割調光データを交互に読み取る段階をさらに含むことを特徴とする請求項１８に記載の発光装置の駆動方法。
【請求項２０】
前記１つのフレームは、前記複数の第１及び第２走査信号に対応する少なくとも二つの第１及び第２フィールドに区分され、前記第１フィールドの間の前記複数の第１走査信号の順により前記複数の第１分割調光データに対応する期間の間に発光データ電圧が複数の各々の発光画素に供給される段階と、
前記第２フィールドの間の前記複数の第２走査信号の順により前記複数の第２分割調光データに対応する期間の間に発光データ電圧が前記複数の各々の発光画素に供給される段階と、
前記第１フィールドの間、直前フレームの前記複数の第２走査信号と現在フレームの前記複数の第１走査信号は交番的に印加される段階と、
前記第２フィールドの間、前記現在フレームの前記複数の第１及び第２走査信号は交番的に印加される段階と、をさらに含むことを特徴とする請求項１５に記載の発光装置の駆動方法。
【発明の詳細な説明】
【技術分野】
【０００１】
本発明は発光装置に関し、特に電界による電子放出特性を用いて光を発光する発光装置及びその駆動方法に関する。
【背景技術】
【０００２】
平板表示装置の一種である液晶表示装置は、印加電圧により捩れ角が変化する液晶の誘電異方性を用いてピクセル毎に光透過量を変化させて所定の画像を表示する表示装置である。このような液晶表示装置は、代表的な画像表示装置である陰極線管と比較すると、軽量化、薄形化及び低消費電力化などの長所を有している。液晶表示装置は基本的に液晶パネル組立体と、液晶パネル組立体後方に位置して液晶パネル組立体に光を提供する発光装置を含む。
【０００３】
液晶パネル組立体がアクティブ型液晶パネル組立体で構成される場合、この液晶パネル組立体は一対の透明基板と、透明基板の間に配置される液晶層と、透明基板外面に配置される偏光板と、何れか一つの透明基板の内面に提供される共通電極と、他の一つの透明基板の内面に提供される複数の画素電極及びスイッチング素子と、一つのピクセルを構成する３つのサブピクセルに赤色、緑色及び青色を与えるカラーフィルターなどを含む。このような液晶パネル組立体は発光装置から放出される光を受けて、この光を液晶層の作用で透過または遮断させることによって所定の画像を表示する。
【０００４】
一方、液晶表示装置は、液晶の反応速度が１フレームより長いため、フレーム毎に急速に変わる動画を表示する場合には画面に薄い残像が表示されるモーションブラー（ｍｏｔｉｏｎ  ｂｌｕｒ：動画残像）現象が誘発される。これを解決するために１フレーム間の映像が表示される時点にだけ発光装置の光源を点灯させ、他の期間の間には光源を消灯させるインパルシブ（ｉｍｐｕｌｓｉｖｅ）方式で駆動する。従って、直前フレームの残像を除去できてモーションブラー現象を改善できる。しかし、このような方式は画面の突然な変化がない停止映像を表示する場合に映像がちらつくフリッカー（ｆｌｉｃｋｅｒ）現象が生じる問題がある。
【発明の概要】
【発明が解決しようとする課題】
【０００５】
本発明の目的は、表示装置のモーションブラー現象及びフリッカー現象を改善できる発光装置及びその駆動方法を提供することである。
【課題を解決するための手段】
【０００６】
本発明による入力映像信号及び入力映像制御信号に応じて映像を表示する表示装置に光源を提供する発光装置において、複数の走査ライン、複数のコラムライン及び前記表示装置の少なくとも一つの画素に前記光源を提供する複数の発光画素を含み、前記複数の各々の走査ラインは１フレーム期間の間に第１及び第２走査信号が印加される表示部と、前記入力映像信号及び前記入力映像制御信号を読み取って前記複数の各々の発光画素の明度情報を有する調光信号を生成し、前記複数の各々の発光画素に対応する前記表示装置の各領域の動作情報を有する複数のモーションフラグ信号を生成し、前記複数の各々のモーションフラグ信号に応じて前記調光信号の分割比率情報を有する複数の比率制御信号を生成する局部明度制御部、及び前記複数の比率制御信号に応じて前記調光信号を前記第１走査信号に対応する複数の第１分割調光データ及び前記第２走査信号に対応する複数の第２分割調光データに分割する制御部を含む。ここで、前記局部明度制御部は前記複数のモーションフラグ信号に応じて前記調光信号に対する前記複数の第１分割調光データの比率を増減させる。前記局部明度制御部は前記入力映像制御信号を用いてフレームを区分する同期信号及び前記複数の各々の発光画素の発光を制御する発光制御信号を生成する。前記制御部は、前記複数の各々の比率制御信号に応じて前記調光信号を前記複数の第１及び第２分割調光データに分割するデータ処理部と、１フレーム単位で前記複数の第１及び第２分割調光データが各々保存される第１及び第２サブメモリを各々含む複数のメモリと、前記同期信号をカウンティングして生成された各々の第１カウンティング信号及び第２カウンティング信号に応じて前記複数のメモリから前記複数の第１及び第２分割調光データを選択的に読み取り及び書き込むフレームバッファーと、を含む。そして、前記フレームバッファー部は前記同期信号に同期されて前記同期信号をカウントして前記第１カウンティング信号を生成し、前記同期信号の半周期ほど遅延した時点で同期されて前記同期信号をカウントして前記第２カウンティング信号を生成し、前記第１カウンティング信号及び第２カウンティング信号は前記複数のメモリの数を表示できるビットを有するデジタルデータに具現され、前記複数のメモリ数単位で反復的に変わる。前記フレームバッファー部は、前記第１カウンティング信号に応じて前記複数のメモリの順に前記複数の第１及び第２分割調光データを書き込む。前記フレームバッファー部は、前記第１カウンティング信号に応じて前記複数メモリのうち前記複数の第１及び第２分割調光データの書き込みが完了した第１メモリから前記複数の第１分割調光データを読み取り、前記第２カウンティング信号に応じて前記第１メモリから前記複数の第２分割調光データを読み取る。前記フレームバッファー部は、前記複数の第１及び第２分割調光データを交互に読み取る。前記制御部は前記発光制御信号を用いて走査駆動制御信号及びコラム駆動制御信号を生成する制御信号生成部をさらに含む。そして、前記走査駆動制御信号に応じて前記複数の走査ラインに前記第１及び第２走査信号を印加する走査駆動部をさらに含む。ここで、前記１フレーム期間は少なくとも二つの第１フィールド及び第２フィールドに区分され、前記走査駆動部は、前記第１フィールドに対応する前記複数の第１走査信号を前記複数の走査ラインに順次に印加し、前記第２フィールドに対応する前記複数の第２走査信号を前記複数の走査ラインに順次に印加する。前記第１フィールド間、前記走査駆動部は現在フレームの前記複数の第１走査信号と直前フレームの前記複数の第２走査信号を交互に印加する。前記第２フィールド間、前記走査駆動部は現在フレームの前記複数の第２走査信号と前記複数の第１走査信号を交互に印加する。前記コラム駆動制御信号に応じて前記複数の第１及び第２分割調光データに対応する期間の間、発光データ電圧を前記複数のコラムラインに印加するコラム駆動部をさらに含む。
【０００７】
また、本発明による入力映像信号及び入力映像制御信号に応じて映像を表示する表示装置の少なくとも一つの画素に光源を提供する複数の発光画素、複数の走査ライン及び複数のコラムラインを含む発光装置の駆動方法において、前記複数の各々の走査ラインに１フレーム期間の間第１及び第２走査信号が印加される段階と、前記入力映像信号及び前記入力映像制御信号を読み取って前記複数の各々の発光画素の明度情報を有する調光信号を生成する段階と、前記複数の各々の発光画素に対応する前記表示装置の各領域の動作情報を有する複数のモーションフラグ信号を生成する段階と、前記複数の各々のモーションフラグ信号に応じて前記調光信号の分割比率情報を有する複数の比率制御信号を生成する段階、及び前記複数の比率制御信号に応じて前記調光信号を前記第１走査信号に対応する複数の第１分割調光データ及び前記第２走査信号に対応する複数の第２分割調光データに分割する段階と、を含む。ここで、前記複数の第１及び第２分割調光データに分割する段階は、前記複数のモーションフラグ信号に応じて前記調光信号に対する前記複数の第１分割調光データの比率を増減させる段階を含む。そして、前記入力映像制御信号は垂直同期信号を含み、前記垂直同期信号に同期された同期信号を生成する段階と、前記同期信号に同期されて前記同期信号をカウントして第１カウンティング信号を生成し、前記同期信号の半周期ほど遅延した時点で同期されて前記同期信号をカウントして第２カウンティング信号を生成する段階、及び前記第１及び第２カウンティング信号に応じて前記複数の第１及び第２分割調光データを選択的に読み取り及び書き込む段階をさらに含む。前記複数の第１及び第２分割調光データを選択的に読み取り及び書き込みする段階は、前記第１カウンティング信号に応じて１フレーム単位の前記複数の第１及び第２分割調光データを書き込む段階と、前記１フレーム単位の前記複数の第１及び第２分割調光データの書き込みが完了されると前記第１カウンティング信号に応じて前記複数の第１分割調光データを読み取る段階、及び前記第２カウンティング信号に応じて前記複数の第２分割調光データを読み取る段階と、を含む。前記複数の第１及び第２分割調光データを交互に読み取る段階をさらに含む。前記１フレームは、前記複数の第１及び第２走査信号に対応する少なくとも二つの第１及び第２フィールドに区分されて、前記第１フィールド間の前記複数の第１走査信号の順により前記複数の第１分割調光データに対応する期間の間に発光データ電圧が複数の各々の発光画素に供給される段階と、前記第２フィールド間の前記複数の第２走査信号順により前記複数の第２分割調光データに対応する期間の間に発光データ電圧が前記複数の各々の発光画素に供給される段階と、前記第１フィールド間、直前フレームの前記複数の第２走査信号と現在フレームの前記複数の第１走査信号は交番的に印加される段階、及び前記第２フィールド間、前記現在フレームの前記複数の第１及び第２走査信号は交番的に印加される段階をさらに含む。
【発明の効果】
【０００８】
本発明の特徴により、表示装置のモーションブラー現象及びフリッカー現象を改善できる。
【図面の簡単な説明】
【０００９】
【図１】本発明の実施形態による液晶表示装置を示したブロック図である。
【図２】図１に示された局部明度制御部の詳細ブロック図である。
【図３】図１に示された画素（ＰＸ）の等価回路図である。
【図４】図１に示された制御部の詳細ブロック図である。
【図５】本発明の実施形態による制御部の動作を説明するために示した図である。
【図６】本発明の実施形態によるモーションフラグ信号、調光信号、比率制御信号、第１分割調光データ、及び第２分割調光データを示した図である。
【図７】本発明の実施形態による複数の走査ラインに供給される走査信号を説明するために示した図である。
【図８】本発明の実施形態による発光データ電圧を示した図である。
【発明を実施するための形態】
【００１０】
以下、添付図を参照して、本発明の実施形態について本発明が属する技術分野において通常の知識を有する者が容易に実施できるように詳しく説明する。しかし、本発明は多様な形態に具現され、ここで説明する実施形態に限られない。そして、図面で本発明を明確に説明するために説明上不要な部分は省略し、明細書全体にわたって類似の部分については類似の図面符号を付けた。
【００１１】
明細書全体で、ある部分が他の部分と「接続」されているという時、これは「直接的に接続」されている場合だけでなく、その中間に他の素子を間において「電気的に接続」されている場合も含む。また、ある部分が他の構成要素を「含む」という時、これは特に反対の記載がない限り他の構成要素を除くのではなく、他の構成要素をさらに含むことができることを意味する。
【００１２】
図１は本発明の実施形態による液晶表示装置を示したブロック図であり、図２は図１に示された局部明度制御部２００の詳細ブロック図である。図３は図１に示された画素（ＰＸ）の等価回路図であり、図４は図１に示された制御部１１０の詳細ブロック図である。
【００１３】
図１を参照すれば、本発明の液晶表示装置は発光装置１００と、ビデオプロセッサー１５０と、局部明度制御部２００と、液晶表示板組立体（ｌｉｑｕｉｄ  ｃｒｙｓｔａｌ  ｐａｎｅｌ  ａｓｓｅｍｂｌｙ）３００と、ゲート駆動部（ｇａｔｅ  ｄｒｉｖｅｒ）４００と、データ駆動部（ｄａｔａ  ｄｒｉｖｅｒ）５００と、階調電圧生成部（ｇｒａｙ  ｖｏｌｔａｇｅ  ｇｅｎｅｒａｔｏｒ）８００、及び信号制御部（ｓｉｇｎａｌ  ｃｏｎｔｒｏｌｌｅｒ）６００と、を含む。
【００１４】
ビデオプロセッサー１５０は多様な媒体などから送信した映像ソースを受信して、液晶表示装置の解像度に合う入力映像信号（Ｒ、Ｇ、Ｂ）及び入力映像により映像表示のための入力映像制御信号（ＣＰ）に変換する。このように生成された入力映像信号（Ｒ、Ｇ、Ｂ）及び入力映像制御信号（ＣＰ）は局部明度制御部２００及び信号制御部６００に入力される。入力映像信号（Ｒ、Ｇ、Ｂ）は各画素（ＰＸ）の輝度（ｌｕｍｉｎａｎｃｅ）情報を含み輝度は定められた数、例えば、１０２４（=２１０）、２５６（=２８）または６４（=２６）個の階調（ｇｒａｙ）を有している。入力映像制御信号（ＣＰ）は入力映像信号（Ｒ、Ｇ、Ｂ）及びこれを表示するために必要な制御信号（Ｈｓｙｎｃ、Ｖｓｙｎｃ、ＭＣＬＫ、ＤＥ）を含む。
【００１５】
図２を参照すれば、局部明度制御部２００は調光信号生成部２１０と、モーションフラグ信号生成部２２０と、比率制御信号生成部２３０、及び発光制御信号生成部２４０と、を含む。調光信号生成部２１０は入力映像信号（Ｒ、Ｇ、Ｂ）及び入力映像制御信号（ＣＰ）を読み取って発光装置１００の複数の各々の発光画素（ＥＸＰ）の明度程度を決定する。調光信号生成部２１０は複数の各々の発光画素の明度程度を示す複数の調光データを配列した調光信号（ＤＳ）を生成する。
【００１６】
具体的に、調光信号生成部２１０は入力映像信号（Ｒ、Ｇ、Ｂ）及び入力映像制御信号（ＣＰ）を読み取って発光装置１００の一つの発光画素に対応する複数の画素（ＰＸ）のうち最も高い階調を検出し、検出された階調により発光画素の階調を決定する。そして、調光信号生成部２１０は決められた階調を示す調光信号（ＤＳ）を生成する。本発明の実施形態において調光信号（ＤＳ）は８ビットに具現されるが、本発明はこれに限定されない。
【００１７】
モーションフラグ信号生成部２２０は入力映像信号（Ｒ、Ｇ、Ｂ）及び入力映像制御信号（ＣＰ）を読み取って複数の各々の発光画素に対応する液晶表示板組立体３００の複数の領域別に動作情報を抽出して複数のモーションフラグ信号（ＭＦ）を生成する。具体的に、モーションフラグ信号生成部２２０は複数の各々の発光画素に対応する液晶表示板組立体３００の複数の各々の領域に対応する入力映像信号（Ｒ、Ｇ、Ｂ）の輝度変化程度を検出する。検出結果、輝度の変化が大きい場合には動作がある領域だと判断し、輝度の変化が小さい場合には動作がない領域だと判断する。本発明の実施形態では動作がある領域に対応するモーションフラグ信号（ＭＦ）をハイレベルに生成し、動作がない領域に対応するモーションフラグ信号（ＭＦ）をローレベルに生成する。本発明はこれに限定されず、動作の有／無によりモーションフラグ信号（ＭＦ）が互いに異なるレベルであればよい。
【００１８】
比率制御信号生成部２３０は複数の各々の発光画素のモーションフラグ信号（ＭＦ）に応じて複数の比率制御信号（ＲＣ）を生成する。比率制御信号（ＲＣ）とは各発光画素の調光データを第１及び第２分割調光データに分割する比率を意味する。本発明の実施形態による発光装置１００は、１フレームを表現するために複数の走査信号を複数の各々の走査ライン（Ｓ１〜Ｓｐ）に二回伝送する。１フレームは複数の走査信号を複数の各々の走査ライン（Ｓ１〜Ｓｐ）に一回目に伝送する期間を含む第１フィールド、及び複数の走査信号を複数の各々の走査ライン（Ｓ１〜Ｓｐ）に２回目に伝送する期間を含む第２フィールドを含む。発光装置１００は各フィールド間の複数の各々の発光画素を複数の第１及び第２分割調光データに応じて発光させる。本発明の実施形態による調光データは１フレーム単位で区分され、１フレーム内発光装置１００を構成する全ての複数の発光画素の発光時間を示したデータである。加えて、複数の第１及び第２分割調光データは各フィールド間のすべての複数の発光画素の発光時間を示したデータである。複数の第１分割調光データ及び第２分割調光データにより複数の発光画素を第１フィールド及び第２フィールド各々の期間中に発光させて表現される輝度は、分割前の複数の調光データにより複数の発光画素を１フレーム期間の間に発光させて表現される輝度と同一である。従って、発光装置１００は複数の発光画素を各々の第１フィールド及び第２フィールドの期間の間に複数の第１分割調光データ及び第２分割調光データにより発光時間を調節して発光程度を制御する。
【００１９】
具体的に、比率制御信号（ＲＣ）は調光データを第１分割調光データ及び第２分割調光データに分割する時に適用される比率を量子化させたものであって、調光データに対する第１分割調光データの比率である。分割比率を調節するために調光信号（ＤＳ）のビット数を増加または減少させることができる。本発明の実施形態では複数の第１及び第２分割調光データにより複数の発光データ電圧のパルス幅が決定されて、複数の各々の発光画素（ＥＰＸ）の明度程度が決定される。比率制御信号（ＲＣ）が５０％に設定されてモーションフラグ信号（ＭＦ）がハイレベルであれば、１０％単位でその値を増加させる。モーションフラグ信号（ＭＦ）がローレベルであれば、１０％単位でその値を減少させる。ハイレベルのモーションフラグ信号（ＭＦ）が連続的に二回発生すると、比率制御信号（ＲＣ）は７０％となる。もし現在比率制御信号（ＲＣ）が７０％である場合、モーションフラグ信号（ＭＦ）がローレベルになれば比率制御信号（ＲＣ）は１０％単位に減少されて６０％となる。しかし、比率制御信号（ＲＣ）が５０％未満に減少しない。比率制御信号（ＲＣ）は少なくとも５０％値を有する。このように比率制御信号（ＲＣ）は５０％〜１００％範囲内でモーションフラグ信号（ＭＦ）により変わる。
【００２０】
発光制御信号生成部２４０は入力映像制御信号（ＣＰ）を用いて発光装置を駆動するために必要な制御信号を生成する。発光制御信号生成部２４０は入力映像制御信号（ＣＰ）によりフレームを区分する同期信号（Ｓｙｎｃ）及び発光制御信号（ＬＣＳ）を生成する。同期信号（Ｓｙｎｃ）は発光期間を決定する発光信号（ＣＬＳ）を生成するための制御信号であり、発光制御信号（ＬＣＳ）はアダプティブ（Ａｄａｐｔｉｖｅ）スキャン方式による発光装置１００が動作するための制御信号である。このスキャン方式を具現するためには入力映像制御信号（ＣＰ）の周波数を変調する必要がある。具体的に発光制御信号（ＬＣＳ）は垂直同期信号（Ｖｓｙｎｃ）、水平同期信号（Ｈｓｙｎｃ）などを二倍の周波数に変調した信号を含む。アダプティブスキャン方式については後述する。
【００２１】
再び、図１を参照すれば、液晶表示板組立体３００は等価回路から見ると、複数の信号線（ｓｉｇｎａｌ  ｌｉｎｅ）（Ｇ１〜Ｇｎ、Ｄ１〜Ｄｍ）とこれに接続されていて略行列状に配列された複数の画素（ｐｉｘｅｌ）（ＰＸ）を含む。信号線（Ｇ１〜Ｇｎ、Ｄ１〜Ｄｍ）はゲート信号（「走査信号」とも言う）を伝送する複数のゲート線（Ｇ１〜Ｇｎ）とデータ電圧を伝送する複数のデータ線（Ｄ１〜Ｄｍ）を含む。ゲート線（Ｇ１〜Ｇｎ）は略行方向にのびながら互いにが殆ど平行であり、データ線（Ｄ１〜Ｄｍ）は略列方向にのびながら互いにが殆ど平行する。
【００２２】
図３を参照すれば、各画素（ＰＸ）、例えば、ｉ番目（ｉ=１、２、ｎ）ゲート線（Ｇｉ）とｊ番目（ｊ=１、２、ｍ）データ線（Ｄｊ）に接続された画素（ＰＸｉｊ）は信号線（Ｇｉ、Ｄｊ）に接続されたスイッチング素子（Ｑ）とこれに接続された液晶キャパシタ（ｌｉｑｕｉｄ  ｃｒｙｓｔａｌ  ｃａｐａｃｉｔｏｒ）（Ｃｌｃ）及び維持キャパシタ（ｓｔｏｒａｇｅ  ｃａｐａｃｉｔｏｒ）（Ｃｓｔ）を含む。維持キャパシタ（Ｃｓｔ）は必要でなければ省略できる。
【００２３】
スイッチング素子（Ｑ）は下部表示板２１０に備えられている薄膜トランジスターなどの三端子素子であり、その制御端子はゲート線（Ｇｉ）と接続されており、入力端子はデータ線（Ｄｊ）と接続されており、出力端子は液晶キャパシタ（Ｃｌｃ）及び維持キャパシタ（Ｃｓｔ）と接続されている。
【００２４】
液晶キャパシタ（Ｃｌｃ）は下部表示板２１０の画素電極３０８と上部表示板３０６の共通電極３０２を二つの端子とし、二つの電極１９１、２７０の間の液晶層３は誘電体として機能する。画素電極３０８はスイッチング素子（Ｑ）と接続され、共通電極３０２は上部表示板２００の前面に形成されており共通電圧（Ｖｃｏｍ）を印加される。図２とは異なって共通電極３０２が下部表示板１００に備えられる場合もあり、この時には二つの電極１９１、２７０のうち少なくとも一つが線状または棒状で形成できる。
【００２５】
液晶キャパシタ（Ｃｌｃ）の補助的な役割を果たす維持キャパシタ（Ｃｓｔ）は下部表示板１００に備えられた別の信号線（図示せず）と画素電極３０８が絶縁体を間において重なって形成され、この別の信号線には共通電圧（Ｖｃｏｍ）などの定められた電圧が印加される。しかし、維持キャパシタ（Ｃｓｔ）は画素電極３０８が絶縁体を媒介として真上の前段ゲート線（Ｇｉ-１）と重なって形成できる。
【００２６】
一方、色相表示を具現するためには各画素（ＰＸ）が基本色（ｐｒｉｍａｒｙ  ｃｏｌｏｒ）のうち一つを固有表示したり（空間分割）、各画素（ＰＸ）が時間により交互に基本色を表示するように（時間分割）して、これら基本色の空間的、時間的総合で望む色が認識されるようにする。基本色の例としては赤色、緑色、青色など光の三原色を例示される。図３は空間分割の一例であり、各画素（ＰＸ）が画素電極３０８に対応する上部表示板３０６の領域に基本色のうち一つを示す色フィルター３０４を備えることを示している。図３とは異なって色フィルター３０４は下部表示板２１０の画素電極３０８上または下に設けることもできる。液晶表示板組立体３００には少なくとも一つの偏光子（図示せず）が備えられている。
【００２７】
再び図１を参照すると、階調電圧生成部８００は画素（ＰＸ）の透過率と関連する全体階調電圧または限定された数の階調電圧（以下、「基準階調電圧」という）を生成する。基準階調電圧は共通電圧（Ｖｃｏｍ）に対して正の値を有するのと負の値を有するのを含むことができる。
【００２８】
ゲート駆動部４００は液晶表示板組立体３００のゲート線（Ｇ１〜Ｇｎ）と接続されて、ゲートオン電圧（Ｖｏｎ）とゲートオフ電圧（Ｖｏｆｆ）の組み合わせで構成されたゲート信号をゲート線（Ｇ１〜Ｇｎ）に印加する。
【００２９】
データ駆動部５００は液晶表示板組立体３００のデータ線（Ｄ１〜Ｄｍ）と接続されており、階調電圧生成部８００からの階調電圧を選択してこれをデータ電圧としてデータ線（Ｄ１〜Ｄｍ）に印加する。しかし、階調電圧生成部８００が階調電圧を全て提供するのではなく限定された数の基準階調電圧だけを提供する場合に、データ駆動部５００は基準階調電圧を分圧して望むデータ電圧を生成する。
【００３０】
信号制御部６００はゲート駆動部４００及びデータ駆動部５００等を制御する。信号制御部６００はビデオプロセッサー１５０から印加された入力映像信号（Ｒ、Ｇ、Ｂ）と入力制御信号（ＣＰ）に基づいて入力映像信号（Ｒ、Ｇ、Ｂ）を液晶表示板組立体３００の動作条件に合うように適切に処理して、デジタル映像信号（ＤＡＴＡ）、ゲート制御信号（ＣＯＮＴ１）及びデータ制御信号（ＣＯＮＴ２）等を生成する。信号制御部６００は生成されたゲート制御信号（ＣＯＮＴ１）をゲート駆動部４００に伝送し、データ制御信号（ＣＯＮＴ２）と処理したデジタル映像信号（ＤＡＴＡ）をデータ駆動部５００に伝送する。
【００３１】
ゲート制御信号（ＣＯＮＴ１）は走査開始を指示する走査開始信号（ＳＴＶ）とゲートオン電圧（Ｖｏｎ）の出力周期を制御する少なくとも一つのクロック信号を含む。ゲート制御信号（ＣＯＮＴ１）はまた、ゲートオン電圧（Ｖｏｎ）の持続時間を限定する出力イネーブル信号（ＯＥ）をさらに含むことができる。
【００３２】
データ制御信号（ＣＯＮＴ２）は一行の画素（ＰＸ）に対するデジタル映像信号（ＤＡＴＡ）をデータ駆動部５００への伝送開始を知らせる水平同期開始信号（ＳＴＨ）とデータ線（Ｄ１〜Ｄｍ）にアナログデータ電圧を印加することを指示するロード信号（ＬＯＡＤ）を含む。データ制御信号（ＣＯＮＴ２）はまた、共通電圧（Ｖｃｏｍ）に対するデータ電圧の極性（以下、「共通電圧に対するデータ電圧の極性」を略して「データ電圧の極性」という）を反転させる反転信号（ＲＶＳ）をさらに含むことができる。
【００３３】
データ駆動部５００はデジタル映像信号（ＤＡＴＡ）に対応する階調電圧を選択することによってアナログデータ電圧を生成し、これを当該データ線（Ｄ１〜Ｄｍ）に印加する。
【００３４】
ゲート駆動部４００は信号制御部６００からのゲート制御信号（ＣＯＮＴ１）によりゲートオン電圧（Ｖｏｎ）をゲート線（Ｇ１〜Ｇｎ）に印加して、このゲート線（Ｇ１〜Ｇｎ）に接続されたスイッチング素子（Ｑ）を導通させる。そして、データ線（Ｄ１〜Ｄｍ）に印加されたデータ電圧が導通されたスイッチング素子（Ｑ）を通して当該画素（ＰＸ）に印加される。
【００３５】
画素（ＰＸ）に印加されたデータ電圧と共通電圧（Ｖｃｏｍ）の差は液晶キャパシタ（Ｃｌｃ）の充電電圧、つまり、画素電圧として現れる。液晶分子は画素電圧の大きさによりその配列を異ならせ、これにより液晶層３を通過する光の偏光が変化する。このような偏光の変化は偏光子によって光の透過率変化に現れ、これによって画素（ＰＸ）はデジタル映像信号（ＤＡＴＡ）の階調が示す輝度を表示する。
【００３６】
１水平周期（「１Ｈ」ともいい、水平同期信号（Ｈｓｙｎｃ）及びデータイネーブル信号（ＤＥ）の一周期と同一である）を単位としてこのような過程を繰り返すことによって、すべてのゲート線（Ｇ１〜Ｇｎ）に対して順次にゲートオン電圧（Ｖｏｎ）を印加し、すべての画素（ＰＸ）にデータ電圧を印加して１フレームの映像を表示する。
【００３７】
発光装置１００は制御部１１０、コラム駆動部１１２、走査駆動部１１４、表示部１１６を含む。制御部１１０は図４に示したように、データ処理部（１１０_１）、複数の第１乃至第３メモリ（１１０_２〜１１０_４）、フレームバッファー部（１１０_５）及び制御信号生成部（１１０_６）を含む。データ処理部（１１０_１）は１つのフレーム単位の複数の調光データを対応する比率制御信号（ＲＣ）に応じて分けて複数の第１分割調光データ及び複数の第２分割調光データを生成する。データ処理部（１１０_１）は複数の第１分割調光データ（ＤＳＳ１、ＤＳＳ３、ＤＳＳ５）及び複数の第２分割調光データ（ＤＳＳ２、ＤＳＳ４、ＤＳＳ６）を複数の第１乃至第３メモリ（１１０_２〜１１０_４）のうち対応するメモリへ伝送する。つまり、第１メモリ（１１０_２）にはｎ番目フレームの複数の第１分割調光データ（ＤＳＳ１）及び複数の第２分割調光データ（ＤＳＳ２）が保存されて、第２メモリ（１１０_３）にはｎ+１番目フレームの複数の第１分割調光データ（ＤＳＳ３）及び第２分割調光データ（ＤＳＳ４）が保存される。同様に、第３メモリ（１１０_４）にはｎ+２番目フレームの複数の第１分割調光データ（ＤＳＳ５）及び第２分割調光データ（ＤＳＳ６）が保存される。以降のフレームの複数の第１分割調光データ及び第２分割調光データもこのような方法で保存される。本発明の実施形態で３つの第１乃至第３メモリ（１１０_２〜１１０_４）はアダプティブスキャニング（ａｄａｐｔｉｖｅ  ｓｃａｎｎｉｎｇ）のために必要な最小数である。本発明の実施形態によるアダプティブスキャニング方式は１つのフレームを表現するために複数の走査信号を複数の各々の走査ライン（Ｓ１〜Ｓｐ）に二回伝送し、二回の走査信号が各々伝えられる時に各発光画素（ＥＰＸ）の発光期間が比率制御信号（ＲＣ）により決定される。具体的に、比率制御信号（ＲＣ）が５０％の場合は、一番目の走査信号が印加される期間の間の発光画素（ＥＰＸ）の発光期間と２番目走査信号が印加される期間の間の発光画素（ＥＰＸ）の発光期間が同一である。もし、比率制御信号（ＲＣ）が６０％の場合は、一番目の走査信号が印加される期間の間の発光画素（ＥＰＸ）の発光期間と２番目走査信号が印加される期間の間の発光画素（ＥＰＸ）の発光期間の比率は６:４である。このように、発光画素（ＥＰＸ）に対応する複数の液晶画素（ＰＸ）の動作程度により二回の各々の走査信号に対して発光画素（ＥＰＸ）の発光期間が決定される。このようなアダプティブスキャニング方式のために１つのフレームは第１フィールドと第２フィールドを含むが、直前フレームの第２フィールドと現在フレームの第１フィールド間の時間的な重複、及び現在フレームの第１フィールドと第２フィールド間の時間的な重複が生じる。従って、各フレーム間、各フレームの第１及び第２フィールド間の走査信号が重ならないように制御しなければならない。これに関する説明は図７を参照して後述する。従って、本発明はこれに限定されずに３つ以上のメモリを含むことができる。
【００３８】
また、第１メモリ（１１０_２）は２つのサブメモリ（１１０_２１、１１０_２２）から構成される。複数の第１分割調光データ（ＤＳＳ１）は第１サブメモリ（１１０_２１）に保存されて、複数の第２分割調光データ（ＤＳＳ２）は第２サブメモリ（１１０_２２）に保存される。第２メモリ（１１０_３）は第１及び第２サブメモリ（１１０_３１、１１０_３２）で構成されて、複数の第１分割調光データ（ＤＳＳ３）及び複数の第２分割調光データ（ＤＳＳ４）は第１及び第２サブメモリ（１１０_３１、１１０_３２）に各々保存される。同様に、第３メモリ（１１０_４）も第１及び第２サブメモリ（１１０_４１、１１０_４２）で構成されて、複数の第１分割調光データ（ＤＳＳ５）及び複数の第２分割調光データ（ＤＳＳ６）は第１及び第２サブメモリ（１１０_４１、１１０_４２）に各々保存される。ここで、第１乃至第３メモリ（１１０_２〜１１０_４）が各々含むサブメモリの数は複数の調光データを分割する数により調節できる。フレームバッファー部（１１０_５）は第１乃至第３メモリ（１１０_２〜１１０_４）に保存された複数の第１分割調光データ（ＤＳＳ１、ＤＳＳ３、ＤＳＳ５）及び複数の第２分割調光データ（ＤＳＳ２、ＤＳＳ４、ＤＳＳ６）を読み取り（ｒｅａｄ）し、順に合わせて発光信号（ＣＬＳ）に出力する。フレームバッファー部（１１０_５）は２つのカウンター（図示せず）を含み、２つのカウンターのうち一つから出力されるカウンターパルスによってフレームバッファー部（１１０_５）は第１乃至第３メモリ（１１０_２〜１１０_４）各々に複数の第１分割調光データ（ＤＳＳ１、ＤＳＳ３、ＤＳＳ５）及び複数の第２分割調光データ（ＤＳＳ２、ＤＳＳ４、ＤＳＳ６）を書き込み（ｗｒｉｔｅ）、読み込まれた第１乃至第３メモリ（１１０_２〜１１０_４）各々の第１サブメモリ（１１０_２１、１１０_３１、１１０_４１）から複数の第１分割調光データ（ＤＳＳ１、ＤＳＳ３、ＤＳＳ５）を読み取る。そして、他のカウンターのカウンターパルスによってフレームバッファー部（１１０_５）は第１乃至第３メモリ（１１０_２〜１１０_４）各々の第２サブメモリ（１１０_２２、１１０_３２、１１０_４２）から複数の第２分割調光データ（ＤＳＳ２、ＤＳＳ４、ＤＳＳ６）を読み取る。これについては図５を参照して詳しく後述する。
【００３９】
制御信号生成部（１１０_６）は発光制御信号（ＬＣＳ）を用いて走査駆動制御信号（ＣＳ）及びコラム駆動制御信号（ＣＣ）を生成し、各々走査駆動部１１４及びコラム駆動部１１２へ伝送する。走査駆動制御信号（ＣＳ）は複数の各々の走査ライン（Ｓ１〜Ｓｐ）に対する走査開始を指示する走査開始信号（ＳＴＶ１）と走査オン電圧（ＶＮ）の出力周期を制御する少なくとも一つ以上のクロック信号を含む。本発明の実施形態による走査駆動制御信号（ＣＳ）はゲート制御信号（ＣＯＮＴ１）より２倍の周波数を有する。走査駆動制御信号（ＣＳ）により複数の走査ライン（Ｓ１〜Ｓｐ）に供給される走査信号については図７を参照して後述する。コラム駆動制御信号（ＣＣ）は一行の画素（ＥＰＸ）に発光信号（ＣＬＳ）をコラム駆動部１１２への伝送開始を知らせる水平同期開始信号（ＳＴＨ１）とコラムライン（Ｃ１〜Ｃｑ）に発光信号（ＣＬＳ）に応じた発光データ電圧を印加することを指示するロード信号（ＬＯＡＤ）を含む。
【００４０】
コラム駆動部１１２は複数のコラムライン（Ｃ１〜Ｃｑ）と接続されており、コラム駆動制御信号（ＣＣ）及び発光信号（ＣＬＳ）により発光画素（ＥＰＸ）がそれと対応される複数の液晶画素（ＰＸ）の階調に対応して発光できるように制御する。具体的に、コラム駆動部１１２は発光信号（ＣＬＳ）に応じて複数の発光データ電圧のパルス幅を決め、コラム駆動制御信号（ＣＣ）により複数のコラムライン（Ｃ１〜Ｃｑ）へ伝送する。つまり、コラム駆動部１１２は一つの発光画素（ＥＰＸ）に対応する複数の液晶画素（ＰＸ）に表示される映像に合わせて、発光画素（ＥＰＸ）が所定の階調に発光できるように同期させる。
【００４１】
走査駆動部１１４は複数の走査ライン（Ｓ１〜Ｓｐ）と接続されており、走査駆動制御信号（ＣＳ）に応じて発光画素（ＥＰＸ）が自分と対応する複数の液晶画素（ＰＸ）と同期されて発光できるように複数の走査信号を伝送する。
【００４２】
表示部１１６は走査信号を伝送する複数の走査ライン（Ｓ１〜Ｓｐ）と、発光データ信号を伝送する複数のコラムライン（Ｃ１〜Ｃｑ）及び複数の発光画素（ＥＰＸ）を含む。  複数の各々の発光画素（ＥＰＸ）は走査ライン（Ｓ１〜Ｓｐ）と走査ラインと交差するコラムライン（Ｃ１〜Ｃｑ）によって定義される領域に位置する。本発明の実施形態による複数の各々の発光画素（ＥＰＸ）は電界放出アレイ（Ｆｉｅｌｄ  Ｅｍｉｓｓｉｏｎ  Ａｒｒａｙ、以下「ＦＥＡ」という）型電子放出素子で構成される。ＦＥＡ型電子放出素子は走査電極とデータ電極、走査電極とデータ電極のうちいずれか一側の電極に電気的に接続される電子放出部及び蛍光層などを含む。電子放出部は仕事関数（ｗｏｒｋ  ｆｕｎｃｔｉｏｎ）が低いかまたは縦横比が大きい物質、例えば炭素系物質またはナノメートルサイズ物質で構成される。ＦＥＡ型電子放出素子は走査電極とデータ電極の電圧差を利用して電子放出部周囲に電界を形成してこれから電子を放出させ、放出された電子で蛍光層を励起させて電子ビーム放出量に相応する強さの可視光を放出させる。
【００４３】
図５は本発明の実施形態による制御部１１０の動作を説明するために示した図である。
図５を参照すれば、同期信号（Ｓｙｎｃ）により第１カウンティング信号（Ｃｏｕｎｔ１）及び第２カウンティング信号（Ｃｏｕｎｔ２）が生じる。ここで、同期信号（Ｓｙｎｃ）はビデオプロセッサー１５０で生成された垂直同期信号（Ｖｓｙｎｃ）に同期された信号であり、垂直同期信号（Ｖｓｙｎｃ）と同じ周波数を有する。そして、同期信号（Ｓｙｎｃ）は一周期の開始時点でハイレベルを所定期間有するパルスを含む。第１カウンティング信号（Ｃｏｕｎｔ１）は同期信号（Ｓｙｎｃ）の立ち上がりに同期されて、「００、０１、１０」順に繰り返してカウントされ、第２カウンティング信号（Ｃｏｕｎｔ２）は第１カウンティング信号（Ｃｏｕｎｔ１）と同期信号（Ｓｙｎｃ）の半周期に対応する期間ほど差をおいて、「００、０１、１０」順に繰り返してカウントされる。本発明の実施形態による第１カウンティング信号（Ｃｏｕｎｔ１）及び第２カウンティング信号（Ｃｏｕｎｔ２）は、複数のメモリ（１１０_２〜１１０_４）の数を現わすことができるビットを有するデジタルデータに具現され、複数のメモリ（１１０_２〜１１０_４）の数単位で反復的に変化される。第１カウンティング信号（Ｃｏｕｎｔ１）が「００」の期間（Ｔ１）の間の第１メモリ（１１０_２）の第１サブメモリ（１１０_２１）には複数の第１分割調光データ（ＤＳＳ１）が書き込まれて、第２サブメモリ（１１０_２２）には複数の第２分割調光データ（ＤＳＳ２）が書き込まれる。第１カウンティング信号（Ｃｏｕｎｔ１）が「０１」の期間（Ｔ２）の間の第２メモリ（１１０_３）の第１サブメモリ（１１０_３１）には複数の第１分割調光データ（ＤＳＳ３）が書き込まれて、第２サブメモリ（１１０_３２）には複数の第２分割調光データ（ＤＳＳ４）が書き込まれる。フレームバッファー部（１１０_５）は期間（Ｔ２）の間の第１サブメモリ（１１０_２１）から複数の第１分割調光データ（ＤＳＳ１）を読み取る。第２カウンティング信号（Ｃｏｕｎｔ２）が「０１」の期間（Ｔ３）の間のフレームバッファー部（１１０_５）は第２サブメモリ（１１０_２２）から複数の第２分割調光データ（ＤＳＳ２）を読み取る。第１カウンティング信号（Ｃｏｕｎｔ１）が「１０」の期間（Ｔ４）の間の第３メモリ（１１０_４）の第１サブメモリ（１１０_４１）には複数の第１分割調光データ（ＤＳＳ５）が書き込まれて、第２サブメモリ（１１０_４２）には複数の第２分割調光データ（ＤＳＳ６）が書き込まれる。フレームバッファー部（１１０_５）は期間（Ｔ４）の間の第１サブメモリ（１１０_３１）から複数の第１分割調光データ（ＤＳＳ３）を読み取る。第２カウンティング信号（Ｃｏｕｎｔ２）が「１０」の期間（Ｔ５）の間のフレームバッファー部（１１０_５）は第２サブメモリ（１１０_３２）から複数の第２分割調光データ（ＤＳＳ４）を読み取る。第１カウンティング信号（Ｃｏｕｎｔ１）が「００」の期間（Ｔ６）の間の第１メモリ（１１０_２）の第１サブメモリ（１１０_２１）に複数の第１分割調光データ（ＤＳＳ１）が書き込まれて、第２サブメモリ（１１０_２２）には複数の第２分割調光データ（ＤＳＳ２）が書き込まれる。フレームバッファー部（１１０_５）は期間（Ｔ６）の間の第１サブメモリ（１��０_４１）から複数の第１分割調光データ（ＤＳＳ５）を読み取る。第２カウンティング信号（Ｃｏｕｎｔ２）が「００」の期間（Ｔ７）の間のフレームバッファー部（１１０_５）は第２サブメモリ（１１０_４２）から複数の第２分割調光データ（ＤＳＳ６）を読み取る。このような方法で各フレーム別に対応する複数の第１分割調光データ（ＤＳＳ１、ＤＳＳ３、ＤＳＳ５）及び複数の第２分割調光データ（ＤＳＳ２、ＤＳＳ４、ＤＳＳ６）が発光信号（ＣＬＳ）として出力される。
【００４４】
一方、フレームバッファー部（１１０_５）は各サブメモリから読み取った複数の第１分割調光データ及び第２分割調光データを交互に配列して発光信号（ＣＬＳ）を生成する。つまり、期間（Ｔ２）と期間（Ｔ３）が重なる期間（Ｔ２３）の間のフレームバッファー部（１１０_５）は第１サブメモリ（１１０_２１）から読み取った複数の第１分割調光データ（ＤＳＳ１）と、第２サブメモリ（１１０_２２）から読み取った複数の第２分割調光データ（ＤＳＳ２）を交互に配列する。同様に期間（Ｔ４）と期間（Ｔ５）が重なる期間（Ｔ４５）の間のフレームバッファー部（１１０_５）は第１サブメモリ（１１０_３１）から読み取った複数の第１分割調光データ（ＤＳＳ３）と、第２サブメモリ（１１０_３２）から読み取った複数の第２分割調光データ（ＤＳＳ４）を交互に配列する。そして、期間（Ｔ６）と期間（Ｔ７）が重なる期間（Ｔ６７）の間のフレームバッファー部（１１０_５）は第１サブメモリ（１１０_４１）から読み取った複数の第１分割調光データ（ＤＳＳ５）と、第２サブメモリ（１１０_４２）から読み取った複数の第２分割調光データ（ＤＳＳ６）を交互に配列する。このようにフレームバッファー部（１１０_５）が第１分割調光データと第２分割調光データを交互に配列する理由は、本発明のアダプティブスキャニング方式により複数の走査信号が複数の走査ライン（Ｓ１〜Ｓｐ）に二回伝送されるためである。
【００４５】
図６は本発明の実施形態によるモーションフラグ信号（ＭＳ）、調光信号（ＤＳ）、比率制御信号（ＲＣ）、複数の第１分割調光データ（ＤＳＳ１、ＤＳＳ３、ＤＳＳ５）及び第２分割調光データ（ＤＳＳ２、ＤＳＳ４、ＤＳＳ６）を示した図である。
【００４６】
図６は調光信号（ＤＳ）の複数の調光データがモーションフラグ信号（ＭＳ）に応じた信号分割及び比率演算を通して、複数の第１分割調光データ及び第２分割調光データに分割されるのを説明するためである。図６では説明上の便宜のためにモーションフラグ信号（ＭＳ）、調光信号（ＤＳ）、比率制御信号（ＲＳ）、複数の第１分割調光データ（ＤＳＳ１、ＤＳＳ３、ＤＳＳ５）及び第２分割調光データ（ＤＳＳ２、ＤＳＳ４、ＤＳＳ６）を１０進法で表現する。
【００４７】
図６を参照すれば、ｎ番目のフレーム（ａ）でモーションフラグ信号（ＭＳ）がローレベル（「０」）の領域は比率制御信号（ＲＣ）が５０％に発生され、複数の第１分割調光データ（ＤＳＳ１）及び第２分割調光データ（ＤＳＳ２）の比率が各々５０％となる。例えば、当該領域の調光データが「２００」であれば複数の第１分割調光データ（ＤＳＳ１）は「１００」となり、複数の第２分割調光データ（ＤＳＳ２）も「１００」となる。その後、ｎ+１番目のフレーム（ｂ）で当該領域のモーションフラグ信号（ＭＳ）がハイレベル（「１」）になると比率制御信号（ＲＣ）が６０％に発生されて複数の第１分割調光データ（ＤＳＳ３）の比率が６０％に増加し、複数の第２分割調光データ（ＤＳＳ４）の比率は４０％に減少する。そして、複数の第１分割調光データ（ＤＳＳ３）は「１２０」となり、複数の第２分割調光データ（ＤＳＳ２）は「８０」となる。その後、ｎ+２番目フレーム（ｃ）で当該領域のモーションフラグ信号（ＭＳ）がローレベル（「０」）となると比率制御信号（ＲＣ）が５０％に発生されて複数の第１分割調光データ（ＤＳＳ５）の比率が５０％に再び減少し、複数の第２分割調光データ（ＤＳＳ６）の比率は５０％に再び増加する。そして、複数の第１分割調光データ（ＤＳＳ５）は再び「１００」となって、複数の第２分割調光データ（ＤＳＳ６）も再び「１００」となる。この時、連続的にモーションフラグ信号（ＭＳ）がローレベル（‘０’）であっても比率制御信号（ＲＣ）は５０％未満に減少せず、連続的にモーションフラグ信号（ＭＳ）がハイレベル（「１」）であれば比率制御信号（ＲＣ）は１００％まで上昇する。
【００４８】
図７は本発明の実施形態による複数の走査ライン（Ｓ１〜Ｓｐ）に供給される走査信号を説明するために示した図面である。１つのフレームの走査信号二回の走査信号のうち最初の走査信号に対応して複数の各々の発光データ電圧が対応する発光信号による所定期間の間に複数の各々のコラムライン（Ｃ１〜Ｃｑ）に印加される。この時発光信号（ＣＬＳ）は当該走査ラインに接続されている複数の発光画素に対応する複数の第１分割調光データである。そして第２走査信号に対応して、複数の各々の発光データ電圧が発光信号による所定期間の間に複数の各々のコラムラインに印加される。この時、発光信号は当該走査ラインと接続されている複数の発光画素に対応する複数の第２分割調光データである。
【００４９】
図７で横軸は時間軸であり、縦軸は複数の走査ライン（Ｓ１-Ｓｐ）に対応する。図７で期間（Ｔ１１、Ｔ１２、Ｔ１３）は各々１／６０秒単位に区分した。まず、期間（Ｔ１１１）の間、時点（Ｐ１）からｎ番目のフレームの第１フィールドが始まる。時点（Ｐ１）からｎ番目のフレームの複数の第１分割調光データ（ＤＳＳ１）による複数の発光データ電圧を複数の発光画素（ＥＰＸ）に伝送しなければならない。このために時点（Ｐ１）に走査ライン（Ｓ１）に一番目の走査信号が印加される。その後、時点（Ｐ２）に走査ライン（Ｓ２）に一番目の走査信号が印加される。このように、複数の走査ライン（Ｓ１〜Ｓｋ-１）に複数の一番目の走査信号が順次に印加される。その後期間（Ｔ１１２）の間、時点（Ｐ３）からｎ番目めのフレームの第２フィールドが始まる。期間（Ｔ１１２）の時点（Ｐ３）からｎ番目のフレームの複数の第２分割調光データ（ＤＳＳ２）による複数の発光データ電圧を複数の発光画素（ＥＰＸ）に伝送しなければならない。このために時点（Ｐ３）に走査ライン（Ｓ１）に２番目走査信号が印加される。また、期間（Ｔ１１２）間のｎ番目のフレームの他の複数の第１分割調光データ（ＤＳＳ１）による複数の発光データ電圧を複数の発光画素に伝送しなければならない。これのために他の複数の走査ライン（Ｓｋ〜Ｓｐ）に複数の一番目の走査信号が順次に印加される。二つ以上の走査信号が同時に印加されることができないため、時点（Ｐ３）に走査ライン（Ｓ１）に２番目の走査信号が印加された後、時点（Ｐ４）に走査ライン（Ｓｋ）に一番目の走査信号が印加される。その後、走査ライン（Ｓ２）に２番目の走査信号が印加された後、走査ライン（Ｓｋ+１）に一番目の走査信号が印加される。このように期間（Ｔ１１２）間の複数の走査ライン（Ｓ１〜Ｓｐ）にｎ番目のフレームの一番目の走査信号と２番目の走査信号が交互に印加される。
【００５０】
続いて、期間（Ｔ１２１）の間、時点（Ｐ５）からｎ+１番目フレームの第１フィールドが始まる。時点（Ｐ５）からｎ+１番目フレームの複数の第１分割調光データ（ＤＳＳ３）に応じた複数の発光データ電圧を複数の発光画素（ＥＰＸ）に伝送しなければならない。これのために時点（Ｐ５）で走査ライン（Ｓ１）に一番目の走査信号が印加される。また、期間（Ｔ１２１）の間のｎ番目のフレームの他の複数の第２分割調光データ（ＤＳＳ２）に応じた複数の発光データ電圧を複数の発光画素に伝送しなければならない。これのために他の複数の走査ライン（Ｓｋ〜Ｓｐ）に複数の２番目の走査信号が順次に印加される。この時、時点（Ｐ５）で走査ライン（Ｓ１）に一番の走査信号が印加された後、時点（Ｐ６）で走査ライン（Ｓｋ）に２番目の走査信号が印加される。このように期間（Ｔ１２１）の間の複数の走査ライン（Ｓ１〜Ｓｐ）にｎ+１番目フレームの複数の一番目の走査信号とｎ番目のフレームの複数の２番目の走査信号が交互に印加される。
【００５１】
これと同様に、期間（Ｔ１２２）の間、ｎ+１番目フレームの第２フィールドが始まって期間（Ｔ１２２）及び期間（Ｔ１３１）の間のｎ+１番目フレームの複数の２番目走査信号それぞれが複数の走査ライン（Ｓ１〜Ｓｐ）に順次に印加される。２番目の走査信号が順次に複数の走査ライン（Ｓ１〜Ｓｐ）に印加される時点で同期されてｎ+１番目フレームの複数の第２分割調光データ（ＤＳＳ４）に対応する発光信号（ＣＬＳ）により生成された複数の発光データ電圧が複数のコラムライン（Ｃ１〜Ｃｑ）に印加される。また、期間（Ｔ１３１）の間、ｎ+２番目フレームの第１フィールドが始まって、期間（Ｔ１３１）及び期間（Ｔ１３２）の間のｎ+２番目フレームに相当する複数の一番目の走査信号も複数の走査ライン（Ｓ１〜Ｓｐ）に順次に印加される。複数の一番目の走査信号が順次に複数の走査ライン（Ｓ１〜Ｓｐ）に印加される時点で同期されてｎ+２番目フレームの複数の第１分割調光データ（ＤＳＳ５）に対応する発光信号（ＣＬＳ）により生成された複数の発光データ電圧が複数のコラムライン（Ｃ１〜Ｃｑ）に印加される。このような順に複数の走査ライン（Ｓ１〜Ｓｐ）に走査信号が印加される。
【００５２】
図８は本発明の実施形態による発光データ電圧を示した図面であり、表示部１１６の特定領域でフレーム順にモーションフラグ信号（ＭＳ）の変化によって特定領域に対応する当該発光画素に発光データ電圧が印加される期間の変化を示した図面である。
【００５３】
図８を参照すれば、ｎ番目のフレーム（ａ）でモーションフラグ信号（ＭＳ）がローレベル（「０」）であれば一番目の走査信号印加時に第１フィールド（Ｆ１）の間の当該発光画素（ＥＰＸ）に供給される発光データ電圧のパルス幅と、２番目の走査信号印加時に第２フィールド（Ｆ２）の間の当該発光画素（ＥＰＸ）に供給される発光データ電圧のパルス幅が同一である。その後、ｎ+１番目フレーム（ｂ）で当該領域のモーションフラグ信号（ＭＳ）がハイレベル（「１」）に変わると、第１フィールド（Ｆ１）の間の当該発光画素（ＥＰＸ）に供給される発光データ電圧のパルス幅が所定比率、例えば１０％増加し、第２フィールド（Ｆ２）の間の供給される発光データ電圧のパルス幅が１０％減少される。続いて、ｎ+２番目フレーム（ｃ）でもモーションフラグ信号（ＭＳ）がハイレベル（「１」）であれば第１フィールド（Ｆ１）の間の当該発光画素（ＥＰＸ）に供給される発光データ電圧のパルス幅の比率が２０％に増加し、第２フィールド（Ｆ２）の間の当該発光画素（ＥＰＸ）に供給される発光データ電圧のパルス幅が２０％減少される。このように、モーションフラグ信号（ＭＳ）が連続してハイレベル（「１」）であればｎ+３番目フレーム（ｄ）で第１フィールド（Ｆ１）の間の当該発光画素（ＥＰＸ）に供給される発光データ電圧のパルス幅の比率が１００％となる。つまり、モーションフラグ信号（ＭＳ）により第１フィールド（Ｆ１）及び第２フィールド（Ｆ２）の間の当該発光画素（ＥＰＸ）に供給される発光データ電圧のパルス幅比率が調節される。結局、動作がない領域の場合に１つのフレームの第１フィールド（Ｆ１）及び第２フィールド（Ｆ２）の間の発光データ電圧が印加される期間を同一にしてフリッカー現象を改善できる。一方、動作がある領域の場合に１つのフレームの第１フィールド（Ｆ１）の間の発光データ電圧が印加される期間より第２フィールド（Ｆ２）の間の発光データ電圧が印加される期間をさらに小さくして、次のフレームに現在フレームの映像が影響を与えないようにする。それにより、モーションブラー現象を改善できる。
【００５４】
以上、本発明の実施形態について詳細に説明したが本発明の権利範囲はこれに限定されるのではなく、特許請求の範囲で定義している本発明の基本概念を利用した当業者の多様な変形及び改良形態も本発明の権利範囲に属する。
【符号の説明】
【００５５】
１００      発光装置
１１０      制御部
１５０      ビデオプロセッサー
１９１、２７０      電極
２００      局部明度制御部
２１０      調光信号生成部
２２０      モーションフラグ信号生成部
２３０      比率制御信号生成部
２４０      発光制御信号生成部
３００      液晶表示板組立体
３０２      共通電極
３０４      色フィルター
３０６      上部表示板
３０８      画素電極
４００      ゲート駆動部
５００      データ駆動部
６００      信号制御部
８００      階調電圧生成部
【図１】
2010286809.tif 000003
【図２】
2010286809.tif 000004
【図３】
2010286809.tif 000005
【図４】
2010286809.tif 000006
【図５】
2010286809.tif 000007
【図６】
2010286809.tif 000008
【図７】
2010286809.tif 000009
【図８】
2010286809.tif 000010